(57)【要約】【課題】本発明は、透水性舗装の下部に雨水貯留槽を設け雨水貯留槽の雨水を透水性舗装上に散布し夏季のヒートアイランド現象と冬季の路面の融雪、凍結防止に供する手段の提案にある。【解決手段】本発明は、透水性舗装部の下方に貯留槽を複数段設置し、最上部の貯留槽の上部は透水性として浸透した雨水を受け入れ可能とし、各貯留槽は上方の貯留槽から下方の貯留槽に雨水が順次流下できるように連結配管で連結され、最下部の貯留槽に設けたレベル計に従いその上部貯留槽から最下部の貯留槽に雨水が流入する弁が連結配管に設けられ、順次上方の貯留槽槽から下方の貯留槽に雨水が流入するようにされ、最下部の貯留槽に貯留された雨水をポンプにより前記透水性舗装部に散水できるよう配管がなされたことを特徴とする透水性舗装部を上部に有する雨水貯留槽である。特に冬季融雪に使用した水を加温するため、雨水の貯留槽を上下に複数段とし、上部から順次下方に雨水を流下させ、最下部段の雨水を透水性舗装上に散布するようにした。【選択図】図1
2006225861.tif 000002
【特許請求の範囲】
【請求項１】
透水性舗装部の下方に雨水貯留槽を複数段設置し、透水性舗装部と雨水貯留槽との間は透水層部とし、最上部の雨水貯留槽の上部は透水性として透水性舗装部から透水層部を介して浸透した雨水を受け入れ可能とし、各雨水貯留槽は上方の雨水貯留槽から下方の雨水貯留槽に雨水が順次流下できるように連結配管で連結され、連結配管には弁が設けられ、下層部の雨水貯留槽に設けたレベル計に従い、その上層部の雨水貯留槽と下層部の雨水貯留槽の間に設けた連結配管の弁を開閉し、上層部の雨水貯留槽から下層部の雨水貯留槽に雨水が流入するようにされ、最下層部の雨水貯留槽に貯留された雨水をポンプにより前記透水性舗装部に散水できるよう配管がなされたことを特徴とする透水性舗装部を上部に有する雨水貯留槽。
【発明の詳細な説明】
【技術分野】
【０００１】
本発明は、透水性舗装とその下部に設けた雨水貯留槽の雨水を透水性舗装上に散布し冬季の融雪、夏季のヒートアイランド現象を緩和する技術に属する。
【背景技術】
【０００２】
従来の透水性舗装は、（１）インターロッキングを含むレンガの敷設によるブロック舗装、（２）プラスチック製などの区画枠体内に木製、タイル製、石製のブロックを挿入し、その枠体に設けた接続部で相互に接続し簡便にブロック舗装を実施する枠体ブロック舗装あるいは（３）前記枠体を敷き設し、枠体に設けた区画部にセメントなどを流し込んでブロック舗装を実施する方法等が知られている。その（２）および（３）のブロック舗装の詳細は特開2000-204507、特開2001-000051、特開2001-003305、特開2001-193006等に開示されている。
【０００３】
区画枠体に設けられた所定区画内にタイル、石製などの既成のブロックをはめ込みあるいはコンクリートを流し込んでブロック舗装を形成する上記手段の一部には、ブロックを充填する舗装区画部と雨水を浸透させるための透水区画部が設けられている。
【０００４】
雨水の流出抑制を目的として、プラスチックなどで製造された容器状あるいはパイプ状部材その他を地下に配置し、貯留空間を確保して雨水を一時的に貯留する貯留浸透施設が普及している。この目的のために各種の形状の部材が、例えば特開昭62-101097、特開昭62-126179、特開平9-296486、特開平11-43971、特開平10-115778、特開平10-252108などに提案かつ使用されている。いずれの方法も部材を配置し、使用する部材の形状に応じて必要な継ぎ手などで連結し、その周囲を透水性もしくは遮水性のシート類で包み、その内部空間に雨水を貯蔵する貯留もしくは／および浸透施設とするものである。雨水の有効利用を目的とする場合は、上記貯留空間を遮水性シートで覆い、雨水貯留槽としている。
【特許文献１】特開2000-204507
【特許文献２】特開2001-000051
【特許文献３】特開2001-003305
【特許文献４】特開2001-193006
【特許文献５】特願2003-350271
【特許文献６】特開昭62-101097
【特許文献７】特開昭62-126179
【特許文献８】特開平9-296486
【特許文献９】特開平11-43971
【特許文献１０】特開平10-115778
【特許文献１１】特開平10-252108
【発明の開示】
【発明が解決しようとする課題】
【０００５】
本発明は、透水性舗装の下部に雨水貯留槽を設け、雨水貯留槽中の雨水を透水性舗装上に散布し、夏季のヒートアイランド現象と冬季の路面の融雪、凍結防止に供する手段の提案にある。
【課題を解決するための手段】
【０００６】
本発明は、透水性舗装部の下方に雨水貯留槽を複数段設置し、透水性舗装部と雨水貯留槽との間は透水層部とし、最上部の雨水貯留槽の上部は透水性として透水性舗装部から透水層部を介して浸透した雨水を受け入れ可能とし、各雨水貯留槽は上方の雨水貯留槽から下方の雨水貯留槽に雨水が順次流下できるように連結配管で連結され、連結配管には弁が設けられ、下層部の雨水貯留槽に設けたレベル計に従い、その上層部雨水貯留槽と下層部雨水貯留槽の間に設けた連結配管の弁を開閉し、上層部の雨水貯留槽から下層部の雨水貯留槽に雨水が流入するようにされ、最下層部の雨水貯留槽に貯留された雨水をポンプにより前記透水性舗装部に散水できるよう配管がなされた透水性舗装部を上部に有する雨水貯留槽である。特に冬季の融雪に使用した水を地層で加温するため、雨水の貯留槽を上下に複数段とし、上部から順次下方に雨水を流下させることで時間を稼ぎ、最下段部の雨水貯留槽の水を地温により加温した後、透水性舗装上に散布するようにした。
【発明の効果】
【０００７】
本発明は、透水性舗装の下部に設けた貯留槽を複数段とし上方から順次下方に流下させ、最下層の貯留槽内の雨水を透水性舗装上に散布するようにしたため、雨水は、最下層の貯留槽にいたるまでに地上より暖かい地温で温められるため融雪効果が高まる。
【発明を実施するための最良の形態】
【０００８】
以下本発明を図により詳細に説明する。
本発明は透水性舗装の下部に複数段の雨水貯留槽を設け、最上部の雨水貯留槽の上部を透水性として浸透してきた雨水を受け入れられるように設定すれば、従来の透水性舗装および雨水貯留槽技術が使用可能である。
説明の便宜上、区画枠体を用いた透水性ブロック舗装を透水性舗装の代表とし、プラスチック製の成形材を地下に配列しその周囲を遮水性のシートで覆った雨水貯留槽を例にとって説明する。
図１は本発明の透水性舗装部を上部に有する雨水貯留槽の概念図を示している。
図２は本発明の透水性舗装部を上部に有する雨水貯留槽の他の概念図を示している。
【０００９】
図に示すように、本発明の透水性舗装部を上部に有する雨水貯留槽は、最上部が透水性舗装部であり、透水性舗装部の下部は透水性の砕石等の路盤となって透水層部を形成している。更にその下部に複数段に上下に区画された雨水貯留槽が設けられている。図の例では雨水貯留槽は３層に設けられている。
最下槽の第３雨水貯留槽からポンプにて上部透水性舗装部に散水できるよう配管が設けられている。
【００１０】
透水性舗装部から下部砕石層などからなる路盤を浸透した雨水は最上段の第１雨水貯留槽に受け入れられる。そのため第１雨水貯留槽の上部は透水性シートで覆われ上部から浸透してきた雨水が第１貯留槽内に受け入れられる。
各雨水貯留槽は連結配管にて第１雨水貯留槽、第２雨水貯留槽、第３雨水貯留槽と順次連結されている。第２雨水貯留槽と第３雨水貯留槽にはレベル計が設けられている。第３雨水貯留槽のレベル計の示度に従い第２雨水貯留槽と第３雨水貯留槽とを連結する連結配管に設けたバルブから第３雨水貯留槽に雨水が流入し第３雨水貯留槽内の水位を一定水準に保つようになっている。
同様に第２雨水貯留槽に設けたレベル計の示度に従い第１雨水貯留槽と第２貯留槽間とを連結する連結配管に設けたバルブを介し第２雨水貯留槽に雨水が流入し第２雨水貯留槽内の水位を一定水準に保つようになっている。
第１雨水貯留槽には雨水の浸透による受け入れ以外にも、本発明を実施する場所の気候条件等を考慮して別途水道水等の受け入れ可能な配管を設けておくこともできる。
【００１１】
図１に示すレベル計、連結配管に設けるバルブおよびその制御は既存の技術がそのまま使用可能である。また図２に示す例は発泡プラスチック、ゴム風船その他柔軟性にとんだ球体を用いたレベル計兼バルブの例をしめしている。雨水貯留槽内に十分空間的なゆとりのある場合に適用可能な方法である。
【００１２】
透水性舗装部は、従来の透水性舗装技術により実現可能であるが、その一例として図３に示すプラスチック製の区画枠体を用いた例で説明する。
本区画枠体は敷石等を嵌め込むあるいはコンクリートなどを流し込む舗装区画部と雨水が流れ込む透水区画部とが設けられている。
透水層として砕石等による透水性路盤を設け、区画枠体を図４に示すように敷き設する。舗装区画部に所定の形状の敷石を嵌め込み透水性ブロック舗装が形成される。必要に応じて透水区画部には砂利を充填し、あるいは土壌と植物の種の混合物などを充填し緑を育成してもよい。
上記透水区画部から雨水あるいは散水が浸透し、透水性路盤を透過し最上部の第１雨水貯留槽に受け入れられる。
【００１３】
雨水貯留槽は従来の貯留槽技術により実現可能であるが、その一例として図５に示すプラスチック成形体を配列して構成される雨水貯留槽を例にとって説明する。本成形体は地下に配列することで空間を確保しその空間に雨水を貯留するものである。
プラスチック成形体を所定の形状、大きさに配列し、必要に応じて継ぎ手などを使用して固定し、その周囲、底部を遮水性のシートで覆うことで図６に示す雨水貯留槽が構成される。本発明においてはこの雨水貯水槽を複数段図１、２に示すように上下に配置することとなる。上述したように、本発明では上下に貯水槽を複数段配列した際、最上部の第１雨水貯留槽の上部は透水性のシートとする必要がある。
【００１４】
第３雨水貯留槽に貯留された雨水は、冬季は融雪あるいは路面の凍結防止のために透水性舗装面に散水される。散水された雨水は浸透層を経由して再び順次第３雨水貯留槽に戻る。このとき、第１雨水貯留槽、第２雨水貯留槽を経て第３雨水貯留槽に戻るまで相当の時間が必要であり、その間に地上部で冷却された水は徐々に地温で温められる。
必要に応じて第１雨水貯留槽から第３雨水貯留槽まで各雨水貯留槽間に例えば発泡ポリエチレンなどを敷き各雨水貯留槽間を断熱することも可能である。
【００１５】
第３雨水貯留槽に貯留された雨水は、夏季にはヒートアイランド現象緩和を目的として透水性舗装面の温度低下のため散水される。散水管は透水性舗装面上に散水することでもよく本発明で例示した区画枠体など透水性舗装内に配管可能な空間がある場合その空間内に配管して散水することでもよい。
【図面の簡単な説明】
【００１６】
【図１】本発明の透水性舗装部を上部に有する雨水貯留槽の概念図を示している。
【図２】本発明の透水性舗装部を上部に有する雨水貯留槽の他の概念図を示している。
【図３】本発明の透水性舗装部を形成するプラスチック製の区画枠体の例を示す。
【図４】プラスチック製の区画枠体を敷き設した状態を示す概念図である。
【図５】本発明の雨水貯留槽を形成するプラスチック成形体の例を示す。
【図６】プラスチック成形体を用いた雨水貯留槽の概念図を示す。
【符号の説明】
【００１７】
１  透水性舗装部を上部に有する雨水貯留槽
２  透水性舗装部
３  雨水貯留槽
４  透水性路盤
５  ポンプ
６  レベル計
７  配管
８  バルブ
９  区画枠体
１０  舗装区画部
１１  透水区画部
１２  プラスチック成形体
１３  遮水性シート
１４  透水性シート
１５  散水管
【図１】
2006225861.tif 000003
【図２】
2006225861.tif 000004
【図３】
2006225861.tif 000005
【図４】
2006225861.tif 000006
【図５】
2006225861.tif 000007
【図６】
2006225861.tif 000008